(57)【要約】      （修正有）【課題】凝縮器ファンのＤＣファンモータの１個だけ異常（故障）しても、冷却性能を維持しようと能力アップするとともに、維持可能な範囲以上には能力アップはさせないことで、増エネを抑制しながら冷却性能がある程度維持できる。【解決手段】ショーケース本体の下部に形成される機械室に冷却ユニットとしての凝縮器、サブクールを作るための凝縮器ファン、圧縮機が設置されるショーケースにおいて、凝縮器ファンが複数個ある場合は、一つの凝縮器ファンが故障した場合でも、残りの正常な凝縮器ファンの能力を上げる。【選択図】図１
2014077554.tif 000002
【特許請求の範囲】
【請求項１】
ショーケース本体の内部に形成される機械室に冷却ユニットとしての凝縮器、サブクールを作るための凝縮器ファン、圧縮機が設置されるショーケースにおいて、凝縮器ファンが複数個ある場合は、一つの凝縮機ファンが故障した場合でも、残りの正常な凝縮器ファンの能力を上げることを特徴とするショーケース。
【請求項２】
残りの凝縮器ファンで低下分を補う場合、一時的に設定温度を少しあげる、または、運転Hzの上限値制限することで、補いきれない分の冷却能力を下げる請求項１記載のショーケース。
【請求項３】
能力低下状態になった場合は、故障状態を警告し、その警告内容は、冷却能力低下の対処を促す請求項２記載のショーケース。
【請求項４】
警告内容は、ナイトカバー使用を誘導する請求項３記載のショーケース。
【発明の詳細な説明】
【背景技術】
【０００１】
本発明は、冷凍冷蔵ショーケースや冷温蔵ショーケースなどで、ショーケース本体の内部に形成される機械室内に凝縮器や圧縮機などにより構成される冷凍装置を配設したショーケースに関するものである。
【０００２】
ショーケースのうち冷凍冷蔵オープンショーケースは、下記特許文献にもあるが、図２に示すように、前面に商品出し入れ用の開口２を有し、断熱壁で形成されるショーケース本体１の内部を庫内壁面板（仕切板）３で商品収納庫４と冷気循環ダクト５とに区画し、該冷気循環ダクト５内に冷却器９を配設し、冷気循環ダクト５の下端を空気の吸込口６に、上端を冷気の吹出口７に形成し、該吹出口７から吹き出す冷気で開口２に冷気エアカーテンを形成し商品収納庫４内を冷却するとともに、庫内への外気の侵入を防いでいる。図中１０は冷気の循環を行う庫内ファンである。
【特許文献１】特開２０１２−１６１４０９号公報
【０００３】
そして、夜間などの閉店時には開口２の上部に巻き取り収納してあるナイトカバー１１を引き下ろして、庫内への外気の侵入を防ぐ。図中１２は、商品収納庫４内に設置した商品の陳列棚１３の下面に取り付けた庫内を照明する蛍光灯等の照明灯を示し、この照明灯１２は夜間には消灯する。
【０００４】
ショーケース本体１の下部は機械室８であり、ここには図３に示すように、前記冷却器９と接続して冷凍サイクルを形成する圧縮機１４、凝縮器１５、凝縮器ファン１６、ドレン水の蒸発装置２０が設置される。
【０００５】
機械室８の前面は、メンテナンスのための開口部２３に形成し、この開口部を点検蓋２４で開閉自在に覆う。
【０００６】
前記ドレン水の蒸発装置２０は従来と同じくドレン水を溜める蒸発皿（ドレンパン）１８内に蒸発材として、多数枚が並列する蒸発板１９を配設し、その上に不織布による蒸発布２１を敷設したもので、水位を計測する水位検知センサ１７を付設している。
【０００７】
図示の例では、凝縮器１５、凝縮器ファン１６、ドレン水の蒸発装置２０は２セットが機械室８内に並設されている。
【０００８】
凝縮器ファン１６は、その吸い込み力で機械室８のスリットのある前面パネルから取り込んだ風を凝縮器１５に通過させ、これを冷却するとともに、蒸発皿（ドレンパン）１８に送り、ドレンの蒸発を促進させ、また、圧縮機１４やショーケースコントローラ２５も冷却する。
【０００９】
図４は機械室８の他の例で、１台の凝縮器１５に対して複数の凝縮器ファン１６を設けた場合で、アキュームレーター２６、圧縮機１４、ドレン水の蒸発装置２０等１台分が設置される。
【発明の概要】
【発明が解決しようとする課題】
【００１０】
このように複数の凝縮器ファン１６が設置されている場合に、凝縮器ファン１６のＤＣファンモータも複数個使用しているため、１個だけが異常（故障）でも運転を継続するようにしているものの（全数異常時には運転停止）、異常時のバックアップ制御がない為、風量ダウン＝性能ダウンにつながっていることや性能アップが出来ないのに、余計な能力アップで増エネになっていることがある。
【００１１】
本発明の目的は前記従来例の不都合を解消し、凝縮器ファンのＤＣファンモータの１個だけ異常（故障）しても、冷却性能を維持しようと能力アップするとともに、維持可能な範囲以上には能力アップはさせないことで、増エネを抑制しながら冷却性能がある程度維持できるショーケースを提供することにある。
【課題を解決するための手段】
【００１２】
前記目的を達成するため、請求項１記載の本発明は、ショーケース本体の内部に形成される機械室に冷却ユニットとしての凝縮器、サブクールを作るための凝縮器ファン、圧縮機が設置されるショーケースにおいて、凝縮器ファンが複数個ある場合は、一つの凝縮器ファンが故障した場合でも、残りの正常な凝縮器ファンの能力を上げることを要旨とするものである。
【００１３】
請求項１記載の本発明によれば、凝縮器ファンのＤＣファンモータの１個だけ異常（故障）しても、冷却性能を維持しようと能力アップするとともに、維持可能な範囲以上には能力アップはさせないことで、増エネを抑制しながら冷却性能がある程度維持できる。
【００１４】
請求項２記載の本発明は、残りの凝縮器ファンで低下分を補う場合、一時的に設定温度を少しあげる、または、運転Hzの上限値制限することで、補いきれない分の冷却能力を下げることを要旨とするものである。
【００１５】
請求項２記載の本発明によれば、その後の運転状態を見て、風量アップ効果がない場合（圧縮機運転Hz上昇や各部の温度上昇程度など）、非効率な運転での増エネとならないよう、能力を制限する（一時的に設定温度を少しあげる、または、運転Hzの上限値制限することで、無駄な運転Hzの上昇を抑制することができる。
【００１６】
請求項３記載の本発明は、能力低下状態になった場合は、故障状態を警告し、その警告内容は、冷却能力低下の対処を促すことを要旨とするものである。
【００１７】
請求項３記載の本発明によれば、冷却能力を下げた場合に、故障状態を警告して凝縮器ファンの異常を積極的に通知することができる。このように異常表示を行って、ナイトカバー使用などエンドユーザーでの一次処置を促す。
【００１８】
請求項４記載の本発明は、警告内容は、ナイトカバー使用を誘導することを要旨とするものである。
【００１９】
請求項４記載の本発明によれば、凝縮器ファンの１個の故障でも、冷却能力を下げて運転を継続することで、サービスまでの間、ナイトカバーによって、庫内冷却を維持できる。
【発明の効果】
【００２０】
以上述べたように本発明のショーケースは、縮器ファンのＤＣファンモータの１個だけ異常（故障）しても、冷却性能を維持しようと能力アップするとともに、維持可能な範囲以上には能力アップはさせないことで、増エネを抑制しながら冷却性能がある程度維持できるものである。
【発明を実施するための形態】
【００２１】
以下、図面について本発明の実施の形態を詳細に説明する。図１は本発明のショーケースの１実施形態を示すフローチャートで、サブクールを作るための凝縮器ファンは、多くのショーケースで図３、図４に示すように本体内部に形成される機械室に複数個が設置される。
【００２２】
ショーケースでオープンタイプのものは、多段型ショーケースと平型ショーケースとに大別され、多段型ショーケースについては前記図２で説明した通りであり、詳細説明を省略する。
ショーケースのもう一つの代表的な形である平型ショーケースでは、商品出し入れ用の開口を上面に有するショーケースであり、多段型ショーケースと同様に本体内を仕切板で商品収納庫と冷気循環ダクトとに区画し、商品収納庫内に陳列棚を配設し、冷気循環ダクト内に送風機と冷却器とを配設して、商品収納庫の片側開口縁に設けた吸込口から吸込んだ空気を冷却して冷気として前記吸込口に対向する片側開口縁の吹出口から前面の開口面に沿って吹き出し、ここに冷気エアカーテンを形成して商品収納庫内の商品を保冷する。図３に示す機械室の構成は多段型ショーケース、平型ショーケース間に共通するもので構成について相違はないものである。
【００２３】
図１に示すように、複数の凝縮器ファン１６が運転されなければならない場合で、一つ以上の凝縮器ファン１６が故障した場合は，残りの正常な凝縮器ファン１６の能力を上げ，風力を増すようにする。これは凝縮器ファンのＤＣファンモータへの通電量を増やし、回転数を上げる。
【００２４】
このようにして残りの正常な凝縮器ファン１６で故障した凝縮器ファン１６で低下分を補う場合、能力増加の効果がまだなく、補い切れない場合は、ショーケースの冷却能力を下げる。
【００２５】
能力増加の効果（風力ＵＰ）効果があるか否かの判断は、圧縮機１４運転Hzの上昇や、ショーケース各部の温度上昇程度などにより行う。
【００２６】
さらに、前記ショーケースの冷却能力を下げることは、一時的に商品収納庫４内の設定温度を少しあげることや、または、圧縮機１４運転Hzの上限値制限することで実現する。
【００２７】
前記能力低下状態になった場合は、その故障状態をモニター（操作パネル）の温度表示を点滅させるなどして警告する。
【００２８】
また、その警告内容はエンドユーザーでの一時処理を促すものであり、ナイトカバー１１の使用を誘導する。
【００２９】
ナイトカバー１１の使用がなされたか、否かの判断は、下記の方法から選択できる。
（１）照明手段の操作によって判断する。
（２）冷気が商品収納庫へ入る入り口の温度と、庫内通過後冷却器に向かう出口温度の差をもって判断する。
（３）ナイトカバーのフック部分の磁石と、フック保持部分近傍に装備した近接センサで行うなど、閉ざすためのナイトカバーが降りたことを検出するスイッチにより行う。
（４）商品収納庫の庫内温度の低下時間の早さによって、判断する。
（５）商品収納庫の庫内温度の低下により冷却運転を止める間隔、もしくは、その頻度より判断する。
（６）商品収納庫の庫内温度の低下により冷却運転能力の低下より判断する。
【図面の簡単な説明】
【００３０】
【図１】本発明のショーケースの１実施形態を示すフローチャートである。
【図２】冷凍冷蔵オープンショーケースの縦断側面図である。
【図３】ショーケースの機械室の斜視図である。
【図４】ショーケースの機械室の他例を示す平面図である。
【符号の説明】
【００３１】
１  ショーケース本体              ２  開口
３  庫内壁面板（仕切板）          ４  商品収納庫
５  冷気循環ダクト                ６  吸込口
７  吹出口                        ８  機械室
９  冷却器                        １０  庫内ファン
１１  ナイトカバー                １２  照明灯
１３  陳列棚                      １４  圧縮機
１５  凝縮器                      １６  凝縮器ファン
１７  水位検知センサ              １８  蒸発皿
１９  蒸発板                      ２０  ドレン水の蒸発装置
２１  蒸発布                      
２３…開口部                      ２４…点検蓋
２５…ショーケースコントローラ    ２６…アキュームレーター
【図１】
2014077554.tif 000003
【図２】
2014077554.tif 000004
【図３】
2014077554.tif 000005
【図４】
2014077554.tif 000006